(57)【要約】      （修正有）【課題】弾性片の信頼性を向上させることが可能な振動モータを提供する。【解決手段】第１振動ユニットは磁性アセンブリ１３４および第１質量ブロック１３５を含み、第２振動ユニットはコイル１３３および第２質量ブロック１３１を含む。第１弾性片は、第１質量ブロックに固定連結された第１連結部と、筐体１１の一方の側に固定連結された第１固定部と、第１弾力アームとを含む。第２弾性片は、第２質量ブロックに固定連結された第２連結部と、筐体の他方の側に固定連結された第２固定部と、第２弾力アームとを含む。第１連結部の、筐体側壁における投影の高さが、第１質量ブロックの、側壁における投影の高さよりも大きく、第２連結部の、側壁における投影の高さが、第２質量ブロックの、側壁における投影の高さよりも大きい。【選択図】図１
2017029973.tif 000002
【特許請求の範囲】
【請求項１】
筐体と、筐体と共に組み立てられて、収納空間を形成するベースと、前記収納空間内に収納された、振動系および前記振動系を弾性支持する弾性支持部材と、を含む振動モータであって、
前記振動系は、互いに平行し、且つ間隔を隔てて設置された第１振動ユニットおよび第２振動ユニットを含み、前記第１振動ユニットは、少なくとも１つの磁性アセンブリ、および前記磁性アセンブリを載置するための第１質量ブロックを含み、前記第２振動ユニットは、前記磁性アセンブリと対向し、且つ間隔を隔てて設置されたコイル、および前記コイルを載置するための第２質量ブロックを含み、
前記弾性支持部材は、互いに交差するように設置された第１弾性片および第２弾性片を含み、前記第１弾性片は、前記第１質量ブロックに固定連結された第１連結部と、前記筐体の一方の側に固定連結された第１固定部と、前記第１連結部と前記第１固定部との間に連結され、且つ前記第１質量ブロックの一部を取り囲む第１弾力アームと、を含み、前記第２弾性片は、前記第２質量ブロックに固定連結された第２連結部と、前記筐体の他方の側に固定連結された第２固定部と、前記第２連結部と前記第２固定部との間に連結され、且つ前記第２質量ブロックの一部を取り囲む第２弾力アームと、を含み、
前記第１連結部の、前記筐体の側壁における投影の高さが、前記第１質量ブロックの、前記側壁における投影の高さよりも大きく、前記第２連結部の、前記側壁における投影の高さが、前記第２質量ブロックの、前記側壁における投影の高さよりも大きいことを、特徴とする振動モータ。
【請求項２】
前記第１弾力アームおよび前記第２弾力アームの、前記ベースにおける投影が互いに交差することを特徴とする請求項１に記載の振動モータ。
【請求項３】
前記第１固定部の、前記側壁における投影は、前記第１連結部の、前記側壁における投影と高さが等しいことを特徴とする請求項２に記載の振動モータ。
【請求項４】
前記第２固定部の、前記側壁における投影は、前記第２連結部の、前記側壁における投影と高さが等しいことを特徴とする請求項３に記載の振動モータ。
【請求項５】
前記第１弾力アームの、前記側壁における投影の高さは、前記第１連結部の、前記側壁における投影の高さよりも小さいことを特徴とする請求項４に記載の振動モータ。
【請求項６】
前記第２弾力アームの、前記側壁における投影の高さは、前記第２連結部の、前記側壁における投影の高さよりも小さいことを特徴とする請求項５に記載の振動モータ。
【請求項７】
前記第１振動ユニットは、それぞれ前記第１質量ブロックにおける対向する２つの側辺に沿って前記第２質量ブロックに向けて延伸するように形成された一対の第１突起部をさらに含み、
前記第１質量ブロックには、それぞれ前記第１突起部と対向設置された一対の第１切り欠きが開設されており、
前記第２振動ユニットは、それぞれ前記第２質量ブロックにおける対向する２つの側辺に沿って第１質量ブロックへ延伸し、且つ、それぞれ第１切り欠きに係合する第２突起部をさらに含み、
前記第２質量ブロックには、前記第１突起部を収納するための第２切り欠きが開設されていることを、特徴とする請求項６に記載の振動モータ。
【請求項８】
第１連結部は前記第１突起部に固定連結され、第２連結部は前記第２突起部に固定連結されていることを特徴とする請求項７に記載の振動モータ。
【請求項９】
第１連結部の、前記側壁における投影の高さは、前記第１突起部の、前記側壁における投影の高さ以上であり、前記第２連結部の、前記側壁における投影の高さは、第２突起部の、前記側壁における投影の高さ以上であることを特徴とする請求項８に記載の振動モータ。
【発明の詳細な説明】
【技術分野】
【０００１】
本発明は、モータに関し、特に大多数の電子製品に適用される振動モータに関する。
【背景技術】
【０００２】
電子技術の発展に伴い、例えば携帯電話、携帯型ゲーム機、ナビゲーション装置や携帯型マルチメディア娯楽用機器などの携帯型の消費性電子製品がますます人々に好まれるようになっている。これらの電子製品においては、通常システムのフィードバックとして、振動モータが用いられており、例えば、携帯電話の着信時のリマインド、情報の提示、ナビゲーションの提示、ゲーム機の振動フィードバックなどが挙げられる。このような幅広い応用の中で、振動モータに対して、高性能、長寿命、小型化が要求される。
【０００３】
現在、携帯型の消費性電子製品に用いられる振動モータは、通常、いずれも筐体、前記筐体と合わせて、収納空間を形成するベース、該収納空間内に収納固定された第１振動系と、第２振動系と、該第１振動系をサスペンションする第１弾性片と、該第２振動系をサスペンションする第２弾性片とを含む。第１弾性片および第２弾性片は、互いに対向するに設置されているため、それぞれの弾性片の高さを小さくし、弾性片の信頼性を低下させる。
【０００４】
従って、上記の問題を解決するために、新規な振動モータを提供する必要がある。
【発明の概要】
【発明が解決しようとする課題】
【０００５】
本発明は、弾性片の信頼性を向上させることが可能な振動モータを提供することを目的とする。
【課題を解決するための手段】
【０００６】
本発明の構成としては、すなわち、筐体と、筐体と共に組み立てられて、収納空間を形成するベース、前記収納空間内に収納された振動系および前記振動系を弾性支持する弾性支持部材を含む振動モータであって、前記振動系は、互いに平行し、且つ間隔を隔てて設置された第１振動ユニットおよび第２振動ユニットを含み、前記第１振動ユニットは、少なくとも１つの磁性アセンブリ、および前記磁性アセンブリを載置するための第１質量ブロックを含み、前記第２振動ユニットは、前記磁性アセンブリと対向し、且つ間隔を隔てて設置されたコイルと、前記コイルを載置するための第２質量ブロックとを含み、前記弾性支持部材は、互いに交差するように設置された第１弾性片および第２弾性片を含み、前記第１弾性片は、前記第１質量ブロックに固定連結された第１連結部と、前記筐体の一方の側に固定連結された第１固定部と、前記第１連結部と前記第１固定部との間に連結され、且つ前記第１質量ブロックの一部を取り囲む第１弾力アームと、を含み、前記第２弾性片は、前記第２質量ブロックに固定連結された第２連結部と、前記筐体の他方の側に固定連結された第２固定部と、前記第２連結部と前記第２固定部との間に連結され、且つ前記第２質量ブロックの一部を取り囲む第２弾力アームと、を含み、前記第１連結部の、前記筐体の側壁における投影の高さが、前記第１質量ブロックの、前記側壁における投影の高さよりも大きく、前記第２連結部の、前記側壁における投影の高さが、前記第２質量ブロックの、前記側壁における投影の高さよりも大きい。
【０００７】
上述した振動モータであって、前記第１弾力アームおよび前記第２弾力アームの、前記ベースにおける投影は互いに交差する。
【０００８】
上述した振動モータであって、前記第１固定部の、前記側壁における投影は、前記第１連結部の、前記側壁における投影と高さが等しい。
【０００９】
上述した振動モータであって、前記第２固定部の、前記側壁における投影は、前記第２連結部の、前記側壁における投影と高さが等しい。
【００１０】
上述した振動モータであって、前記第１弾力アームの、前記側壁における投影の高さは、前記第１連結部の、前記側壁における投影の高さよりも小さい。
【００１１】
上述した振動モータであって、前記第２弾力アームの、前記側壁における投影の高さは、前記第２連結部の、前記側壁における投影の高さよりも小さい。
【００１２】
上述した振動モータであって、前記第１振動ユニットは、それぞれ前記第１質量ブロックにおける対向する２つの側辺に沿って前記第２質量ブロックに向けて延伸するように、形成された一対の第１突起部をさらに含み、前記第１質量ブロックには、それぞれ前記第１突起部と対向設置された一対の第１切り欠きが開設されており、前記第２振動ユニットは、それぞれ前記第２質量ブロックにおける対向する２つの側辺に沿って第１質量ブロックへ延伸し、且つ、それぞれ第１切り欠きに係合する第２突起部をさらに含み、前記第２質量ブロックには、前記第１突起部を収納するための第２切り欠きが開設されている。
【００１３】
上述した振動モータであって、第１連結部は前記第１突起部に固定連結され、第２連結部は前記第２突起部に固定連結されている。
【００１４】
上述した振動モータであって、第１連結部の、前記側壁における投影の高さは、前記第１突起部の、前記側壁における投影の高さ以上であり、前記第２連結部の、前記側壁における投影の高さは、第２突起部の、前記側壁における投影の高さ以上である。
【発明の効果】
【００１５】
本発明は下記有益な効果を有する。２つの弾性片を交差設置する構成を用いることにより、各弾性片における、振動系に連結する連結部の高さを高くし、弾性片の応力を減少させ、弾性片の信頼性を向上させる。
【図面の簡単な説明】
【００１６】
【図１】本発明に係る振動モータの爆発図である。
【図２】図１に示す第２質量ブロックの斜視構成図である。
【図３】図１に示す第１質量ブロックの斜視構成図である。
【図４】図１に示す弾性支持部材の斜視構成図である。
【図５】振動系、ベースおよび弾性支持部材の組立図である。
【発明を実施するための形態】
【００１７】
以下、図面および実施形態に合わせて、本発明についてさらに説明する。図１〜図５を参照する。本発明が提供する振動モータ１００は、筐体１１と、筐体１１と共に組み立てられ、収納空間を形成するベース１２と、振動系１３と、一対の弾性支持部材１４と、該振動系１３に電気信号を提供する回路基板１５と、を含む。振動系１３は、弾性支持部材１４に弾性支持されることにより、水平方向Ｘにおいて振動することができる。該振動系１３は、略長方体状をなし、一対の弾性支持部材１４は、それぞれ振動系１３における、水平方向Ｘにおいて対向する両端部に設置され、且つ、振動系１３を弾性支持し、振動系１３を収納空間内にサスペンションする。
【００１８】
筐体１１は、外ケース１１１および内ケース１１２を含む。外ケース１１１は内ケース１１２と、形状が類似し、且つ、いずれも一端が開口し、内部が中空である長方形筐体である。外ケース１１１の外形寸法は、前記内ケース１１２の外形寸法よりもやや大きい。外ケース１１１は、内ケース１１２の外表面に蓋設される。内ケース１１２は、長方形状をなす頂壁１１２１と、それぞれ頂壁１１２１の一対の長辺に沿って垂直に延伸し、形成した一対の長側壁１１２２と、頂壁１１２１の一対の短辺に沿って垂直に延伸し、形成した一対の短側壁１１２３と、を含む。
【００１９】
ベース１２は、平板の構造であり、回路基板１５を載置するための延伸端１２１を有する。ベース１２は、外ケース１１１の開口端に蓋設されると共に、例えば粘着や溶接などにより外ケース１１１および内ケース１１２と固定連結されている。外ケース１１１、内ケース１１２およびベース１２は共に囲んで、密閉する収納空間を形成する。
【００２０】
振動系１３は、互いに平行し、且つ間隔を隔てて設置された第１振動ユニットおよび第２振動ユニットを含む。
【００２１】
前記第１振動ユニットは、磁性アセンブリ１３４と、第１質量ブロック１３５と、第１極コア１３６と、一対の第１突起部１３５２とを含む。第１質量ブロック１３５は、長方形の平板状をなし、その中部には貫通孔１３５０が設けられている。一対の第１突起部１３５２は、それぞれ第１質量ブロック１３５における、対向する２つの側辺に沿って第２振動ユニットに向けて延伸すると共に、貫通孔１３５０における、対向する両側に位置し、すなわち、中心対称に設置されている。若しくは、一対の第１突起部１３５２は、貫通孔１３５０における同一側に位置してもよい。第１質量ブロック１３５には、それぞれ前記第１突起部１３５２に対向設置された一対の第１切り欠き１３５３が開設されている。本実施例では、第１突起部１３５２と第１切り欠き１３５３は、いずれも第１質量ブロック１３５の長辺側に位置する。磁性アセンブリ１３４、例えば永久磁石は、貫通孔１３５０内に設置され、それは、互いに間隔を隔てて設置された、磁極が逆である５つの永久磁石からなる組成体である。第１極コア１３６は、磁性アセンブリ１３４の表面に貼設されると共に、磁性アセンブリ１３４と前記ベース１２との間に位置する。
【００２２】
前記第２振動ユニットは、第２質量ブロック１３１と、第２極コア１３２と、コイル１３３と、一対の第２突起部１３１２と、を含む。第２質量ブロック１３１は、略長方形の平板状をなし、その貫通孔１３５０と対向する位置には溝１３１０が設けられている。第１切り欠き１３５３に係合するように、一対の第２突起部１３１２は、それぞれ、第２質量ブロック１３１における対向する２つの側辺に沿って第１質量ブロック１３５へ延伸すると共に、第１切り欠き１３５３に対応するように設置される。第２質量ブロック１３１には、それぞれ第１突起部１３５２に対応するように設けられた第２切り欠き１３１３が開設されている。本実施例においては、第２突起部１３１２と第２切り欠き１３１３は、いずれも第２基板１３１１の長辺側に位置する。第２極コア１３２はコイル１３３と密着設置されると共に、第２質量ブロック１３１の溝１３１０内に設置されている。コイル１３３は２つであり、第２極コア１３２に並列に貼設されると共に、磁性アセンブリ１３４と対向設置されている。
【００２３】
前記回路基板１５は、フレキシブル回路基板であり、折り畳まれることにより、前記第２質量ブロック１３１の外輪郭にマッチするフレーム状に類似する構造に形成され、且つ前記第２質量ブロック１３１の外表面に挟設されている。前記回路基板１５の一端は、それぞれ前記コイル１３３に電気的に接続され、他端は、ベース１２の延伸端１２１に貼設されている。
【００２４】
組立のとき、第１振動ユニットおよび第２振動ユニットは順にベース１２に積層設置され、第１突起部１３５２は第２切り欠き１３１３に挿入され、第２突起部１３１２は第１切り欠き１３５３に挿入され、磁性アセンブリ１３４はコイル１３３と対向設置される。回路基板１５の電気信号が通る時、コイル１３３は、磁性アセンブリ１３４との相互作用により、振動系が水平方向Ｘにおいて線形往復運動するように振動系を駆動する。
【００２５】
各弾性支持部材１４は、互いに交差するように設置された一対の第１弾性片１４１および第２弾性片１４２を含む。
【００２６】
第１弾性片１４１は、略Ｕ字状をなす構造であり、第１質量ブロック１３５と固定連結された第１連結部１４１３と、筐体１１の一方の長側壁１１２２と固定連結された第１固定部１４１１と、第１連結部１４１３と第１固定部１４１１との間に連結され、且つ第１質量ブロック１３５の一部を取り囲むように設置された第１弾力アーム１４１２と、を含む。本実施例においては、第１連結部１４１１は、第１突起部１３５２と固定連結され、第１固定部１４１３は、内ケース１１２の一方の長側壁１１２２と固定連結され、第１弾力アーム１４１２は、第１質量ブロック１３５の短辺を取り囲むように設置される。若しくは、第１連結部１４１３は、第１質量ブロック１３５の側辺に固定連結されてもよい。第１連結部１４１３の、縦方向Ｙにおいて、長側壁１１２２に投影する高さは、第１質量ブロック１３５の、縦方向Ｙにおいて、長側壁１１２２に投影する高さよりも大きい。なお、「高さ」とは、鉛直方向Ｚにおける長さを指す。また、第１弾力アーム１４１２の、縦方向Ｙにおいて、長側壁１１２２に投影する高さは、第１連結部１４１３の、縦方向Ｙにおいて、長側壁１１２２に投影する高さよりも小さい。好ましくは、第１固定部１４１１の、縦方向Ｙにおいて、長側壁１１２２に投影する高さが、第１連結部１４１３の、縦方向Ｙにおいて、長側壁１１２２に投影する高さと等しいである。本実施例においては、第１連結部１４１３の、縦方向Ｙにおいて、長側壁１１２２に投影する高さは、第１突起部１３５２の、縦方向Ｙにおいて、長側壁１１２２に投影する高さ以上である。
【００２７】
第２弾性片１４２は、略Ｕ字状をなす構造であり、第２質量ブロック１３１と固定連結された第２連結部１４２３と、筐体１１の他方の長側壁１１２２と固定連結された第２固定部１４２１と、第２連結部１４２３と第２固定部１４２１との間に連結され、且つ第２質量ブロック１３１の一部を取り囲むように設置された第２弾力アーム１４２２と、を含む。具体的には、第２連結部１４２１は、第２突起部１３１２と固定連結され、第２弾力アーム１４２２は、第２質量ブロック１３１の短辺を取り囲むように設置される。若しくは、第２連結部１４２３は、第２質量ブロック１３１の側辺と固定連結されてもよい。第２連結部１４２３の、縦方向Ｙにおいて、長側壁１１２２に投影する高さは、第２質量ブロック１３１の、縦方向Ｙにおいて、長側壁１１２２に投影する高さよりも大きい。なお、「高さ」とは、鉛直方向Ｚにおける長さを指す。また、第２弾力アーム１４２２の、縦方向Ｙにおいて、長側壁１１２２に投影する高さは、第２連結部１４２３の、縦方向Ｙにおいて、長側壁１１２２に投影する高さよりも小さい。好ましくは、第２固定部１４２１の、縦方向Ｙにおいて、長側壁１１２２に投影する高さが、第２連結部１４２３の、縦方向Ｙにおいて、長側壁１１２２に投影する高さと等しいである。本実施例においては、第２連結部１４２３の、縦方向Ｙにおいて、長側壁１１２２に投影する高さは、第２突起部１３１２の、縦方向Ｙにおいて、長側壁１１２２に投影する高さ以上である。
【００２８】
本実施例においては、第２弾性片１４２は、第１弾性片１４１の第１弾力アーム１４１２の上方において第１弾性片１４１を跨ぐように設けられる。第１連結部１４１３および第２固定部１４２１の、鉛直方向Ｚにおいてベース１２における投影は、互いに平行し、且つ間隔を隔てて設置される。また、第２連結部１４２３および第１固定部１４１１の、鉛直方向Ｚにおいてベース１２における投影は、互いに平行し、且つ間隔を隔てて設置される。また、第１弾力アーム１４１２および第２弾力アーム１４２２の、鉛直方向Ｚにおいて、ベース１２における投影は、互いに交差するように設置される。
【００２９】
このような構造を用いることにより、連結部の高さを高くし、弾性片の応力を減少させ、弾性片の信頼性を向上させる。
【００３０】
なお、上述したのは、単に本発明の実施形態にすぎず、当業者にとって、本発明の創造的構想を逸脱しない限り、改良することもできることは言うまでもない。これらの改良も本発明の特許請求の範囲に含まれる。
【図１】
2017029973.tif 000003
【図２】
2017029973.tif 000004
【図３】
2017029973.tif 000005
【図４】
2017029973.tif 000006
【図５】
2017029973.tif 000007